(57)【要約】【課題】特定の隣接セルとの間でハンドオーバ失敗率が高いとき、通信の異常切断を増やすことなく、セル全体のハンドオーバの成功率を改善することが可能な、特定の隣接セルとのハンドオーバの抑制手段を備えた無線通信システムを提供すること。【解決手段】本発明の無線通信システムは、移動端末が接続する第１のセルを管理する基地局を備え、移動端末が、第１のセルから第２のセルにハンドオーバ可能な無線通信システムであって、移動端末から報告されたセルごとの無線品質の測定情報に基づき、第２のセルを除くセルの中から、無線品質が所要値以上である第３のセルを検出する代替セル検出部と、代替セル検出部による第３のセルの検出結果に基づき、第２のセルへのハンドオーバを抑制するハンドオーバ抑制部と、を具備する。【選択図】図１
2012249132.tif 000002
【特許請求の範囲】
【請求項１】
移動端末が接続する第１のセルを管理する基地局を備え、前記移動端末が、前記第１のセルから第２のセルにハンドオーバ可能な無線通信システムであって、
前記移動端末から報告されたセルごとの無線品質の測定情報に基づき、前記第２のセルを除くセルの中から、無線品質が所要値以上である第３のセルを検出する代替セル検出手段と、
前記代替セル検出手段による第３のセルの検出結果に基づき、前記第２のセルへのハンドオーバを抑制するハンドオーバ抑制手段と、
を有する無線通信システム。
【請求項２】
前記ハンドオーバ抑制手段は、前記第２のセルへのハンドオーバ特性が所定の基準より劣る場合に、前記代替セル検出手段による第３のセルの検出結果に基づき、前記第２のセルへのハンドオーバを抑制する、
請求項１に記載の無線通信システム。
【請求項３】
前記ハンドオーバ特性は、前記第２のセルへのハンドオーバ失敗率、ハンドオーバ失敗数、および前記第２のセルへハンドオーバした後の平均滞在時間の少なくとも１つを含む、
請求項２に記載の無線通信システム。
【請求項４】
前記無線品質は、前記セルを管理する基地局から送信されたリファレンス信号の受信電力または信号対干渉波および雑音電力比の少なくとも１つを含む、
請求項１に記載の無線通信システム。
【請求項５】
前記ハンドオーバ抑制手段は、前記第３のセルが存在する場合の前記第２のセルへのハンドオーバ失敗数の統計と、前記第３のセルが存在しない場合の前記第２のセルへのハンドオーバ失敗数の統計に基づき、前記第２のセルへのハンドオーバを抑制することを判断する、
請求項１乃至４のいずれか１項に記載の無線通信システム。
【請求項６】
前記代替セル検出手段は、前記移動端末からのハンドオーバ要求ごとに、前記第３のセルを検出し、
前記ハンドオーバ抑制手段は、前記第３のセルが検出されたことを条件として、前記第２のセルへのハンドオーバを抑制する、
請求項１乃至４のいずれか１項に記載の無線通信システム。
【請求項７】
前記ハンドオーバ抑制手段は、前記第２のセルの無線品質の測定結果に付加するオフセット値を前記移動端末に対して通知することにより前記第２のセルへのハンドオーバを抑制する、
請求項５に記載の無線通信システム。
【請求項８】
前記ハンドオーバ抑制手段は、前記第２のセルに対してハンドオーバの禁止フラグを設定することにより前記第２のセルへのハンドオーバを抑制する、
請求項５に記載の無線通信システム。
【請求項９】
前記ハンドオーバ抑制手段は、前記移動端末のうち、高速移動する移動端末に対してのみ、前記第２のセルへのハンドオーバを抑制する、
請求項５に記載の無線通信システム。
【請求項１０】
前記高速移動する移動端末は、前記接続中のセルの直前に接続したセルの滞在時間が閾値以下である移動端末である、
請求項９に記載の無線通信システム。
【請求項１１】
前記ハンドオーバ抑制手段は、前記第２のセルへのハンドオーバを抑制した後の前記第１のセルの通信品質を監視する品質監視手段を備え、
前記第１のセルの通信品質がハンドオーバの抑制前より劣化した場合に、前記第２のセルへのハンドオーバの抑制を解除する、
請求項５または請求項６に記載の無線通信システム。
【請求項１２】
前記品質監視手段は、前記第１のセル全体の通信の異常切断率、前記第３のセルへのハンドオーバ失敗率、ハンドオーバ失敗数、前記第３のセルへハンドオーバした後の平均滞在時間の少なくとも１つを用いて前記第１のセルの通信品質の劣化を評価する、
請求項１１に記載の無線通信システム。
【請求項１３】
前記代替セル検出手段は、前記移動端末から報告されたハンドオーバ要求時の無線品質が所要値以上であるセルを前記第３のセルとして検出する、
請求項１乃至４のいずれか１項に記載の無線通信システム。
【請求項１４】
前記代替セル検出手段は、前記移動端末から報告された複数の時点の無線品質が、いずれも所要値以上であるセルを前記第３のセルとして検出する、
請求項１乃至４のいずれか１項に記載の無線通信システム。
【請求項１５】
前記代替セル検出手段は、前記移動端末から報告されたハンドオーバ要求時の無線品質と、ハンドオーバ失敗時の無線品質が、いずれも所要値以上であるセルを、前記第３のセルとして検出する、
請求項１３に記載の無線通信システム。
【請求項１６】
前記代替セル検出手段は、前記移動端末から報告されたハンドオーバ要求時からハンドオーバ失敗時の間の無線品質の時系列が、常に所要値以上であるセルを、前記第３のセルとして検出する、
請求項１４に記載の無線通信システム。
【請求項１７】
移動端末が接続する第１のセルを管理し、前記第１のセルから第２のセルへの前記移動端末のハンドオーバを処理する基地局であって、
前記移動端末から報告されたセルごとの無線品質の測定情報に基づき、前記第２のセルを除くセルの中から、無線品質が所要値以上である第３のセルを検出する代替セル検出手段と、
前記代替セル検出手段による第３のセルの検出結果に基づき、前記第２のセルへのハンドオーバを抑制するハンドオーバ抑制手段と、
を有する基地局。
【請求項１８】
移動端末が接続する第１のセルから第２のセルへの前記移動端末のハンドオーバを抑制するハンドオーバ・パラメータを設定するハンドオーバ最適化方法であって、
前記移動端末が測定したセルごとの無線品質の測定情報に基づき、前記第２のセルを除くセルの中から、無線品質が所要値以上である第３のセルを検出し、
前記第３のセルの検出結果に基づき、前記第２のセルへのハンドオーバを抑制するハンドオーバ・パラメータを設定する、
ハンドオーバ最適化方法。
【請求項１９】
前記ハンドオーバ・パラメータは、ハンドオーバの禁止フラグ、前記移動端末による無線品質の測定結果に対して付加するオフセット値の少なくとも１つを含む、
請求項１８に記載のハンドオーバ最適化方法。
【請求項２０】
移動端末が接続先のセルを切り替えるハンドオーバ処理において、
前記移動端末は、ハンドオーバ要求時にセルごとの無線品質の測定情報を基地局に報告し、
前記基地局は、前記移動端末が接続中の第１のセルとハンドオーバ先として通知された第２のセルとの間のハンドオーバ特性が所定の基準より劣り、かつ前記測定情報のうち、前記第１のセル及び前記第２のセルを除くセルの測定情報のうちに、前記無線品質が所要値以上である第３のセルが存在する場合、前記第３のセルへハンドオーバする、
ハンドオーバ方法。
【発明の詳細な説明】
【技術分野】
【０００１】
本発明はハンドオーバ抑制機能を備えた無線通信システム、基地局、ハンドオーバ最適化方法、およびハンドオーバ方法に関する。
【背景技術】
【０００２】
無線通信システムにおいて、移動端末は、接続先の無線セル（source cell）から他の無線セルに移動する際に、ハンドオーバと呼ばれる接続先の無線セルの切り替え処理を行い、通信を継続する。移動端末のハンドオーバを実現するため、source cellを管理する基地局は、所定のイベントが発生した場合に測定報告を送信するよう移動端末に指示する。所定のイベントとは、例えば、source cellの無線品質の劣化である。移動端末によって生成される測定報告は、source cell及びその隣接セル群の無線品質の測定結果を含む。基地局は、移動端末から測定報告を受信した時点で、測定報告に基づいて切り替え先の無線セル（target cell）を決定し、移動端末およびtarget cellとのシグナリングを含むハンドオーバ手順を開始する。
【０００３】
ここで、ＬＴＥ（Long Term Evolution）/ Ｅ−ＵＴＲＡＮ (Evolved UTRAN)に関する３ＧＰＰ技術仕様（3GPP TS 36.331 V8.11.0）にて規定されている測定報告の送信イベントの１つを紹介する。当該技術仕様においてＥｖｅｎｔ Ａ３ (Neighbor becomes offset better than serving)として規定された報告イベントの本質的部分は、以下の式（１）によって表わされる。
ＰＳ＋ＯＳ＜ＰＴ＋ＯＴ    （１）
【０００４】
式（１）中のＰＳはsource cellの無線品質の測定結果であり、ＰＴは、隣接セルの無線品質の測定結果である。ＬＴＥの場合、ＰＳ及びＰＴは、下りリファレンス信号の受信電力（ＲＳＲＰ：Reference Signal Received Power）又は基準信号受信品質（ＲＳＲＱ：Reference Signal Received Quality）である。ＲＳＲＱは、総受信電力(ＲＳＳＩ：Received Signal Strength Indicator)に対するＲＳＲＰの比率である。また、式（１）中のＯＳは、source cellの無線品質に対するオフセット値であり、source cellの下りリファレンス信号の無線品質に作用する。一方、ＯＴは、隣接セルの無線品質に対するオフセット値であり、隣接セルの下りリファレンス信号の無線品質に作用する。
【０００５】
ＯＴは、一般にセル個別オフセット（ＣＩＯ：Cell Individual Offset）と呼ばれるハンドオーバ・パラメータであり、隣接リストに登録された隣接セルごとに、異なるオフセット値を設定することができる。ＣＩＯは、基地局から自身の管理する無線セルに接続する移動端末に対して通知される隣接リストに含まれる。
【０００６】
基地局に式（１）の動作条件が設定されると、その基地局が管理する無線セルに接続する移動端末に対して式（１）の動作条件が通知される。移動端末は、source cellの無線品質及び隣接セルの無線品質の測定結果が式（１）の条件を満たすことをトリガとして、source cellを管理する基地局に測定報告を送信する。
【０００７】
従来、上述したオフセット値Ｏｔ（ＣＩＯ）やTime to Trigger （ＴＴＴ）等のハンドオーバ・パラメータを動的に調節する技術が知られている。なお、ＴＴＴは、上述した式（１）のような測定報告の送信条件が成立してから測定報告の送信が行われるまでの保護時間である。例えば、移動端末は、式（１）の条件を満たす期間がＴＴＴとして定められた期間を超えて継続した場合に、測定報告の送信を行う。つまり、ＴＴＴを長くする程、ハンドオーバの開始タイミングが遅くなり、ハンドオーバが発生し難くなる。
【０００８】
特許文献１は、移動端末の測定報告に基づき、ハンドオーバ・パラメータ（ＴＴＴ、ＣＩＯ等）を動的に調節することによって、ハンドオーバ失敗（Too Late Handover、Too Early Handover）を低減する方法を開示している。例えば、target cellとのハンドオーバのタイミングが早すぎて失敗する場合（Too Early Handover）には、ＣＩＯを低減することにより、ハンドオーバのタイミングを遅らせてハンドオーバの成功率を改善する。
【０００９】
ただし、移動端末にオフセット値Ｏｔを通知できる無線セルは、隣接リストに登録された隣接セルに限られる。また、通常、隣接リストに登録できる無線セル数には上限が設けられている。そのため、隣接リストに登録しきれない無線セルに対してはオフセット値Ｏｔを移動端末に通知することができない。この場合、オフセット値Ｏｔの調節による移動端末のハンドオーバのタイミング調節ができないため、例えば特許文献１のように、オフセット値Ｏｔの調節に基づくハンドオーバ成功率の改善を実現することが困難になる。
【００１０】
ＬＴＥ/Ｅ−ＵＴＲＡＮに関する３ＧＰＰ技術仕様（3GPP TS 36.300 V8.12.0）では、隣接リストに登録されていない隣接セルに対しても、隣接セルごとにハンドオーバの禁止フラグを設定できるインタフェイスが規定されている。図１８は、隣接セルごとのフラグ設定を管理するNeighbor Relation Table （ＮＲＴ）の内容を示す図である。ＮＲＴにおいてＮｏＨＯフラグを設定した隣接セルへのハンドオーバを抑制することにより、ハンドオーバ成功率を改善できる場合がある。
【００１１】
図１９は、特定の隣接セルへのハンドオーバを抑制することにより、ハンドオーバ成功率が改善される場合を説明する図である。図１９では、source cell（第１のセル）の無線品質（ＲＳＲＱ）が低下したことにより、隣接セルＡ（第２のセル）へのハンドオーバが実施されたが、隣接セルＡのＲＳＲＱが急激に低下しために、他の隣接セルへのハンドオーバが間に合わず、隣接セルＡのＲＳＲＱが所要品質を下回った時点で、通信の異常切断が発生する様子を示している。移動端末は、異常切断の後、所要品質を上回る隣接セルＢ（第３のセル）に再接続する。
【００１２】
このような場合には、通信の異常切断を引き起こす隣接セルＡへのハンドオーバを抑制することにより、ハンドオーバ成功率を改善できる。すなわち、source cellから隣接セルＢへのハンドオーバが実施され、隣接セルＡにおける通信の異常切断が回避される。以下、隣接セルＢのように、target cellにおける異常切断を回避しうる替わりの隣接セルを、代替セルと呼ぶことにする。
【先行技術文献】
【特許文献】
【００１３】
【特許文献１】国際公開第２０１０／００２９２６号
【非特許文献】
【００１４】
【非特許文献１】3GPP TS36.331 v.8.11.0、 "Evolved Universal Terrestrial Radio Access (E-UTRA); Radio Resource Control (RRC); Protocol specification"、 2010.
【非特許文献２】3GPP TS 36.300 v8.12.0: "Radio Access (E-UTRA) and Radio Access Network (E-UTRAN); Overall description; Stage 2"、 2010.
【非特許文献３】3GPP TS 36.423 v9.5.0: "Evolved Universal Terrestrial Radio Access Network (E-UTRAN); X2 application protocol (X2AP)"、 2010.
【発明の概要】
【発明が解決しようとする課題】
【００１５】
通信の異常切断を引き起こす隣接セルへのハンドオーバを抑制しても、通信の異常切断を回避できない場合がある。図２０は、特定の隣接セルへのハンドオーバを抑制しても、ハンドオーバ成功率を改善できない場合を説明する図である。
【００１６】
図２０では、図１９と同様に、隣接セルＡへのハンドオーバが実施された後、隣接セルＡにおいて通信の異常切断が発生し、異常切断の後、移動端末が隣接セルＢに再接続する様子を示している。この場合は、ハンドオーバ要求から再接続の間に、source cellと隣接セルＢのＲＳＲＱがともに所要品質を下回る時点（ＴFail）が存在するため、隣接セルＡへのハンドオーバを抑制しても、source cellのＲＳＲＱが所要品質を下回る前に、所要品質を上回る他の隣接セルへハンドオーバすることができず、時点（ＴFail）において通信の異常切断が発生する。
【００１７】
このように、隣接セルＡの代替セルとなる他の隣接セルがない場合に、隣接セルＡへのハンドオーバを抑制すると、かえって通信の異常切断が増えるおそれがある。例えば、端末の移動速度が低速である場合は、隣接セルＡのＲＳＲＱが相対的に緩やかに低下するため、他の隣接セルへのハンドオーバが間に合う場合があるが、時点（ＴFail）における異常切断は、ハンドオーバを抑制した隣接セルＡ以外にＲＳＲＱが所要品質を上回る隣接セルがないため、全ての移動端末で通信の異常切断が発生する。したがって、隣接セルＡへのハンドオーバを抑制すると、時点（ＴFail）における低速移動端末の異常切断の分だけ、全体の異常切断の数が増える可能性がある。
【００１８】
実際のsource cellの内部には、図１９のように代替セルがある場所と、図２０のように代替セルがない場所が混在している。そのため、source cellからtarget cellへのハンドオーバの失敗数よりも、target cellの代替セルがない場所を移動端末が通過する回数の方が多い場合に、特許文献１のようなＣＩＯ調節、あるいはハンドオーバの禁止フラグの設定により、通信の異常切断を引き起こす隣接セルへのハンドオーバを一律に抑制すると、かえって通信の異常切断を増やすおそれがあるという課題が発生していた。
【００１９】
そこで、本発明は上記課題を鑑み、ハンドオーバ可能な替わりの隣接セルがない場合に、通信の異常切断を増やすことなくセル全体のハンドオーバの成功率を改善できる無線通信システム、基地局、ハンドオーバ最適化方法、およびハンドオーバ方法を提供することを目的とする。
【課題を解決するための手段】
【００２０】
本発明の無線通信システムは、移動端末が接続する第１のセルを管理する基地局を備え、前記移動端末が、前記第１のセルから第２のセルにハンドオーバ可能な無線通信システムであって、前記移動端末から報告されたセルごとの無線品質の測定情報に基づき、前記第２のセルを除くセルの中から、無線品質が所要値以上である第３のセルを検出する代替セル検出手段と、前記代替セル検出手段による第３のセルの検出結果に基づき、前記第２のセルへのハンドオーバを抑制するハンドオーバ抑制手段と、を有する。
【００２１】
また、本発明の基地局は、移動端末が接続する第１のセルを管理し、前記第１のセルから第２のセルへの前記移動端末のハンドオーバを処理する基地局であって、前記移動端末から報告されたセルごとの無線品質の測定情報に基づき、前記第２のセルを除くセルの中から、無線品質が所要値以上である第３のセルを検出する代替セル検出手段と、前記代替セル検出手段による第３のセルの検出結果に基づき、前記第２のセルへのハンドオーバを抑制するハンドオーバ抑制手段と、を有する。
【００２２】
また、本発明のハンドオーバ最適化方法は、移動端末が接続する第１のセルから第２のセルへの前記移動端末のハンドオーバを抑制するハンドオーバ・パラメータを設定するハンドオーバ最適化方法であって、前記移動端末が測定したセルごとの無線品質の測定情報に基づき、前記第２のセルを除くセルの中から、無線品質が所要値以上である第３のセルを検出し、前記第３のセルの検出結果に基づき、前記第２のセルへのハンドオーバを抑制するハンドオーバ・パラメータを設定する。
【００２３】
また、本発明のハンドオーバ方法は、移動端末が接続先のセルを切り替えるハンドオーバ処理において、前記移動端末は、ハンドオーバ要求時にセルごとの無線品質の測定情報を基地局に報告し、前記基地局は、前記移動端末が接続中の第１のセルとハンドオーバ先として通知された第２のセルとの間のハンドオーバ特性が所定の基準より劣り、かつ前記測定情報のうち、前記第１のセル及び前記第２のセルを除くセルの測定情報のうちに、前記無線品質が所要値以上である第３のセルが存在する場合、前記第３のセルへハンドオーバする。
【発明の効果】
【００２４】
本発明によれば、ハンドオーバ可能な替わりの隣接セルがない場合に、通信の異常切断を増やすことなくセル全体のハンドオーバの成功率を改善できる無線通信システム、基地局、ハンドオーバ最適化方法、およびハンドオーバ方法を提供することができる。
【図面の簡単な説明】
【００２５】
【図１】本発明の概要を示す図である。
【図２】本発明の第１の実施形態の無線通信システムの構成を示すブロック図である。
【図３】図２に示す品質統計記憶部が管理するハンドオーバ統計情報の管理テーブルの一例を示す図である。
【図４】図２に示す基地局の動作を説明するフローチャートである。
【図５】図２に示す代替セル検出部の動作を説明するフローチャートである。
【図６】図２に示すHO抑制部の動作を説明するフローチャートである。
【図７】図２に示すパラメータ設定部において、ＣＩＯを用いた動作を説明するフローチャートである。
【図８】図２に示すパラメータ設定部において、ＣＩＯを用いない動作を説明するフローチャートである。
【図９】本発明の第２の実施形態の無線通信システムにおいて、ハンドオーバ失敗時の無線品質を用いた代替セル検出部の動作を説明するフローチャートである。
【図１０】本発明の第２の実施形態の無線通信システムにおいて、無線品質に時系列を用いた代替セル検出部の動作を説明するフローチャートである。
【図１１】本発明の第３の実施形態の無線通信システムの構成を示すブロック図である。
【図１２】図１１に示すＨＯ抑制部の動作を説明するフローチャートである。
【図１３】本発明の第４の実施形態の無線通信システムの構成を示すブロック図である。
【図１４】図１３に示す基地局の動作を説明するフローチャートである。
【図１５】図１３に示す移動速度判別部の動作を説明するフローチャートである。
【図１６】本発明の第５の実施形態の基地局の構成を示すブロック図である。
【図１７】図１６に示す基地局の動作を説明するフローチャートである。
【図１８】隣接セルごとのフラグ設定の管理テーブルの一例を示す図である。
【図１９】特定の隣接セルへのハンドオーバ抑制により、ハンドオーバ成功率が改善される場合を説明する図である。
【図２０】特定の隣接セルへのハンドオーバを抑制しても、ハンドオーバ成功率を改善できない場合を説明する図である。
【発明を実施するための形態】
【００２６】
本発明の各実施形態を説明するにあたり、まず本発明の概要について説明する。
【００２７】
本発明は、図１に示すように、移動端末が現在接続中のサービングセル（第１のセル）から他セルへハンドオーバする無線通信システムにおいて、代替セル検出手段及びハンドオーバ抑制手段を備えることを特徴する。
【００２８】
本発明の無線システムでは、移動端末から報告される無線品質の測定情報に基づいてハンドオーバ可能なセル（第２のセル）が決定される。ここで、新たに無線通信システム内に設けられた代替セル検出手段が、移動端末から報告される無線品質の測定情報に基づいて代替セル（第３のセル）を検出する。この時、代替セル検出手段は、上記測定情報に基づき、無線品質が所要の値以上であるセルであって、ハンドオーバ可能なセルを除いたセルの中から代替セルを検出する。
【００２９】
ハンドオーバ抑制手段は、無線通信システムで行われるハンドオーバの抑制を行うための手段であり、具体的には、第２のセルへのハンドオーバ特性が劣る場合にこの第２のセルへのハンドオーバを抑制する。ここで、当該ハンドオーバ抑制手段は、当該抑制を行うにあたり、代替セル検出手段における第３のセルの検出結果を踏まえた上で行う。
【００３０】
このように、本発明の無線通信システムは、ハンドオーバ特性が劣るセルに対して一律にハンドオーバの抑制を行うのではなく、所定の条件を満たす代替セルを検出するための検出手段で得られた検出結果に基づいて、ハンドオーバの抑制を行うか行わないかが決定される。
【００３１】
このような構成とすることで、各々の状況に適したハンドオーバ抑制を行うことができるため、セル全体のハンドオーバの成功率を改善することが可能となる。以下に、本発明を実施するための各形態について、図面を参照しながら詳細に説明する。各図面において、同一または対応する要素には同一の符号が付されており、説明の明確化のため、必要に応じて重複説明は省略される。
【００３２】
（第１の実施形態）
以下、本発明の第１の実施形態について図面を参照して説明する。図２は、本実施形態に係るハンドオーバ抑制機能を備えた無線通信システムの構成例を示す図である。
【００３３】
基地局３０Ａは、ハンドオーバの最適化対象セル３５Ａを管理し、配下の移動端末１０のハンドオーバ処理を行う。ここで、最適化対象セルとは、ハンドオーバに関する最適化の対象となるセルであり、ハンドオーバ前の時点で移動端末１０が接続しているセル（source cell）である。最適化対象セルは、ハンドオーバ前の時点で移動端末１０にサービスを提供しているセルであるため、以下最適化対象セルをサービングセルと呼ぶことがある。
【００３４】
基地局３０Ａは、ハンドオーバ制御部（以下、ＨＯ制御部と記す）１０１、ハンドオーバ特性管理部（以下、ＨＯ特性管理部と記す）１０２、代替セル検出部１０３を備え、ネットワーク管理システム９０に接続する。
【００３５】
ネットワーク管理システム９０は、ハンドオーバ抑制部９６（以下、ＨＯ抑制部と記す）と品質統計記憶部１０４とを備える。ＨＯ抑制部９６は、パラメータ設定部１０５を備える。
【００３６】
基地局３０Ｂは、最適化対象セル３５Ａの隣接セル３５Ｂを管理する。基地局３０Ｂは、基地局３０Ａから移動端末１０のハンドオーバ要求を受けたとき、移動端末１０の受け入れ処理を行う。基地局３０Ｂは、失敗情報通知部１０６を備えており、移動端末１０のハンドオーバが失敗したとき、当該失敗情報通知部１０６は、基地局３０Ａに対してハンドオーバの失敗情報を通知する。
【００３７】
ＨＯ制御部１０１は、移動端末１０からハンドオーバ要求を受けたとき、周辺セルの無線品質に関する測定情報を移動端末１０から取得する。ＨＯ制御部１０１は、取得した測定情報に基づき、target cellを決定し、target cellへのハンドオーバを実行する。
【００３８】
代替セル検出部１０３は、移動端末１０のハンドオーバ要求時の測定情報をＨＯ制御部１０１から取得し、測定情報に含まれる隣接セルの中から代替セルを検出する。ただし、既にＮｏＨＯフラグが設定されていて最適化対象セル３５Ａからのハンドオーバの抑制対象となっている隣接セル（抑制対象セル）、および検出時点でtarget cellとして選ばれている隣接セルは除外する。ここでＮｏＨＯフラグとは、ハンドオーバの抑制対象となっている隣接セルであることを示すフラグであり、具体的には当該隣接セルに対するハンドオーバを禁止することを示す禁止フラグある。
【００３９】
ＨＯ特性管理部１０２は、失敗情報通知部１０６からハンドオーバの成否に関する情報を取得し、さらに代替セルの検出結果を代替セル検出部１０３から取得する。ここで、ハンドオーバの成否に関する情報とは、具体的には、ハンドオーバが失敗したことを示す失敗情報である。ＨＯ特性管理部１０２は、隣接セルごとのハンドオーバ試行数を集計するとともに、取得したこれらの情報をもとに、隣接セルごとのハンドオーバの失敗数を代替セルの有無ごとに集計する。ＨＯ特性管理部１０２は、このように集計したハンドオーバ統計情報を、ネットワーク管理システム９０に対して定期的に送信する。
【００４０】
失敗情報通知部１０６は、移動端末１０のハンドオーバが失敗したとき、基地局３０Ａに対してハンドオーバの失敗情報を通知する。ハンドオーバの失敗情報は、ハンドオーバ元の無線セルにおけるsource cellとtarget cellの識別情報、および、移動端末１０がハンドオーバ失敗後に再接続した無線セルの識別情報を含む。このようなハンドオーバの失敗情報としては、例えば、ＬＴＥ/Ｅ−ＵＴＲＡＮに関する３ＧＰＰ技術仕様（3GPP TS 36.423 V9.5.0）において規定されているHANDOVER REPORTを利用することができる。
【００４１】
品質統計記憶部１０４は、ネットワーク管理システム９０において、ＨＯ特性管理部１０２から受信したハンドオーバ統計情報（以下、ＨＯ統計情報と記す）を記憶する領域である。図３は、品質統計記憶部１０４に格納されている、ＨＯ統計情報の管理テーブルの一例を示す図である。図３に示すように、管理テーブルには、最適化対象セル３５Ａから隣接セルｉに対して実施されたハンドオーバに関して、ハンドオーバ試行数（Ａi）、代替セルがある場合のハンドオーバ失敗数（Ｆi）、代替セルがない場合のハンドオーバ失敗数（Ｆ'i）が、それぞれ記録されている。
【００４２】
ＨＯ抑制部９６は、品質統計記憶部１０４に記録されたＨＯ統計情報に基づき、抑制対象セルを決定し、ハンドオーバを抑制するハンドオーバ・パラメータを抑制対象セルに対して設定する。この設定は、パラメータ設定部１０５によって行われる。
【００４３】
パラメータ設定部１０５は、ハンドオーバを抑制するハンドオーバ・パラメータとして、例えば、前述したＮＲＴのＮｏＨＯフラグやＣＩＯを用いる。具体的には、抑制対象セルのＮｏＨＯフラグを有効にして抑制対象セルへのハンドオーバを抑制する。あるいは、抑制対象セルが隣接リストに登録されている場合には、抑制対象セルが移動端末１０の測定情報に含まれなくなるほど著しく大きな負の値のＣＩＯを、抑制対象セルに対して設定する。パラメータ設定部１０５が設定したハンドオーバ・パラメータは、ＨＯ抑制部９６から基地局３０に通知される。
【００４４】
ＨＯ制御部１０１は、ＨＯ抑制部９６から通知されたハンドオーバ・パラメータに従い、前述したtarget cell の決定処理を行う。すなわち、ハンドオーバの抑制手段としてＮｏＨＯフラグを用いる場合は、ＨＯ制御部１０１は、移動端末１０の測定情報に含まれる隣接セルのうち、ＮｏＨＯフラグが無効な隣接セルからtarget cellを決定する。一方、ハンドオーバの抑制手段としてＣＩＯを用いる場合は、ＨＯ制御部１０１は、移動端末１０の測定情報に抑制対象セルが含まれないように、抑制対象セルに設定された著しく大きな負の値のＣＩＯを移動端末１０に対して通知する。
【００４５】
次に、本実施形態に係るハンドオーバ抑制機能を備えた無線通信システムの動作について説明する。図４は、基地局３０Ａの動作を説明するフローチャートである。
【００４６】
ＨＯ制御部１０１は、基地局３０Ａに接続する移動端末１０から、ハンドオーバ要求時に移動端末が報告した、隣接セルの無線品質の測定情報を取得する（ステップＳ１０１）。 
【００４７】
次に、ＨＯ制御部１０１は、取得した測定情報に基づき、 ＮｏＨＯフラグが無効な隣接セルの中からtarget cellを決定する（ステップＳ１０２）。次に、ＨＯ制御部１０１は、ステップＳ１０２で決定したtarget cellに対してハンドオーバを実施する（ステップＳ１０３）。
【００４８】
ＨＯ特性管理部１０２は、ＨＯ制御部１０１がハンドオーバを実行すると、基地局３０Ａが管理している隣接セルごとのハンドオーバ試行数（Ａ）のうち、target cellのハンドオーバ試行数（Ａi）のカウントを１つ増やす（ステップＳ１０４）。
【００４９】
ＨＯ制御部１０１は、ステップＳ１０３で実施したハンドオーバの失敗情報を、基地局３０Ｂの失敗情報通知部１０６から取得する（ステップＳ１０５）。すなわち、ステップＳ１０３で実施された移動端末１０のハンドオーバが失敗した場合は、失敗情報通知部１０６は、基地局３０Ａに対してハンドオーバの失敗情報を通知する。
【００５０】
ＨＯ制御部１０１は、失敗情報の有無に応じてハンドオーバの成否を判定する（ステップＳ１０６）。すなわち、ＨＯ制御部１０１は、失敗情報通知部１０６から失敗情報が通知されないときはハンドオーバが成功したと判定し、失敗情報が通知されたときはハンドオーバが失敗したと判定する。ステップＳ１０６において、ハンドオーバが成功したと判定された場合は、ＨＯ制御部１０１は、全体の処理を終了する。
【００５１】
一方、ステップＳ１０６において、ハンドオーバが失敗したと判定された場合は、代替セル検出部１０３は、移動端末１０のハンドオーバ要求時の測定情報をＨＯ制御部１０１から取得し、代替セルを検出する（ステップＳ１０７）。
【００５２】
ＨＯ特性管理部１０２は、以下のステップＳ１０８〜ステップＳ１１０の処理フローに従い、代替セル検出部１０３の検出結果をもとに、代替セルの有無に応じてハンドオーバ失敗数を集計する。
【００５３】
すなわち、ＨＯ特性管理部１０２は、ステップＳ１０７で代替セル検出部１０３が行った検出処理の結果を入力し、代替セルがあるかないかを判定する（ステップＳ１０８）。
【００５４】
ＨＯ特性管理部１０２は、ステップＳ１０８において代替セルがないと判定した場合は、基地局３０Ａが管理している隣接セルごとのハンドオーバ失敗数のうち、代替セルがない場合のハンドオーバ失敗数（Ｆ'i）のカウントを１つ増やしてハンドオーバ統計情報を更新し（ステップＳ１０９）、全体の処理を終了する。
【００５５】
一方、ＨＯ特性管理部１０２は、ステップＳ１０３において代替セルがあると判定した場合は、基地局３０Ａが管理している隣接セルごとのハンドオーバ失敗数のうち、代替セルがある場合のハンドオーバ失敗数（Ｆi）のカウントを１つ増やしてハンドオーバ統計情報を更新し（ステップＳ１１０）、全体の処理を終了する。
【００５６】
次に、代替セルの検出方法について説明する。図５は、代替セル検出部１０３の動作を説明するフローチャートである。
【００５７】
図５に示すように、代替セル検出部１０３は、集合Ｓを空集合に初期化する（ステップＳ３０１）。次に、代替セル検出部１０３は、ハンドオーバ要求時に移動端末１０が報告した、隣接セルの無線品質の測定情報を制御部１０１から取得する（ステップＳ３０２）。
【００５８】
次に、代替セル検出部１０３は、測定情報に含まれる隣接セルのうち、抑制対象セルおよびtarget cell以外でハンドオーバ可能な隣接セルを集合Ｓに格納する（ステップＳ３０３）。このとき、代替セル検出部１０３は、測定情報に含まれる受信電力（ＬＴＥの場合はＲＳＲＰ）あるいは信号対干渉波比（ＬＴＥの場合はＲＳＲＱ）等の無線品質が閾値以上である無線セルを、ハンドオーバ可能な隣接セルとして抽出する。
【００５９】
次に、代替セル検出部１０３は、集合Ｓが空集合か否かを判定する（ステップＳ３０４）。ステップＳ３０４における判定の結果、集合Ｓが空集合である場合は、代替セル検出部１０３は、代替セルが検出されなかったものとして判定し（ステップＳ３０５）、全体の処理を終了する。一方、集合Ｓに隣接セルが含まれる場合は、代替セル検出部１０３は、代替セルが検出されたものとして判定し（ステップＳ３０６）、全体の処理を終了する。
【００６０】
次に、ハンドオーバの抑制方法について説明する。図６は、ＨＯ抑制部９６の動作を説明するフローチャートである。
【００６１】
図６に示すように、ＨＯ抑制部９６は、最適化対象セルを選択する（ステップＳ２０１）。ステップＳ２０１において最適化対象セルを選択するときは、ＨＯ抑制部９６は、例えば、ネットワーク管理システム９０の配下にある全ての無線セル３５を逐次選択する。あるいは、ＨＯ抑制部９６は、セル全体のハンドオーバ失敗率が閾値以上である無線セル３５を最適化対象セルとして選択しても構わない。
【００６２】
次に、ＨＯ抑制部９６は、品質統計記憶部１０４にアクセスし、ステップＳ２０１で選択した最適化対象セルのＨＯ統計情報を参照する（ステップＳ２０２）。
【００６３】
次に、ＨＯ抑制部９６は、ステップＳ２０２で参照するＨＯ統計情報に基づいてＨＯ要求時の無線品質が閾値以上の隣接セルを抽出する（ステップＳ２０３）。具体的には、ＨＯ抑制部９６は、隣接セル（ｊ）ごとに、隣接セル（ｊ）に対するハンドオーバの試行数（Ａj）、代替セルありの場合のハンドオーバ失敗数（Ｆj）、代替セルなしの場合のハンドオーバ失敗数（Ｆ'j）を参照して、隣接セル（j）のハンドオーバ失敗率（ＲHoFail, j）を算出し、ハンドオーバ特性が劣るセルとして、失敗率（ＲHoFail, j）が閾値以上の隣接セル（隣接セルｋ）を抽出する。
【００６４】
ハンドオーバ失敗率（ＲHoFail, j）は、例えば、数式（１）を用いて算出することができる。 
（式１）  ＲHoFail, j ＝ （Ｆj＋Ｆ'j）／Ａj
【００６５】
なお、ＨＯ抑制部９６は、ステップＳ２０３で隣接セル（隣接セルｋ）を抽出するとき、ハンドオーバ失敗率以外に、ハンドオーバ失敗数、隣接セルへハンドオーバした後の平均滞在時間など他のハンドオーバ特性を用いても構わない。すなわち、ＨＯ抑制部９６は、ハンドオーバ失敗数が閾値以上の隣接セル、ハンドオーバした後の平均滞在時間が閾値以下の隣接セルをハンドオーバ特性が所定の基準より劣るセルとして抽出してもよい。また、ＨＯ抑制部９６は、複数のハンドオーバ特性を組み合わせて隣接セル（隣接セルｋ）を抽出してもよい。
【００６６】
ＨＯ抑制部９６は、ステップＳ２０３で抽出した隣接セルkに対して、代替セルありのハンドオーバ失敗数（Ｆk）の占有率（ＲShare, k）を算出し、占有率（ＲShare, k）が閾値（ＴｈShare）以上か否かを判定する（ステップＳ２０４）。当該判定の結果、占有率（ＲShare, k）が閾値（ＴｈShare）未満の場合は、ＨＯ抑制部９６は、全体の処理を終了する。一方、占有率（ＲShare, k）が閾値（ＴｈShare）以上の場合は、ＨＯ抑制部９６は、隣接セルｋを抑制対象セルとみなす。なお、ＨＯ抑制部９６は、例えば、次の数式（２）を用いて占有率（ＲShare, k）を算出することができる。
（式２）  ＲShare, k ＝ Ｆk ／（Ｆk＋Ｆ'k）
【００６７】
ステップＳ２０４において、占有率（ＲShare, k）が閾値（ＴｈShare）以上と判定された場合は、ＨＯ抑制部９６は、パラメータ設定部１０５が、隣接セルkへのハンドオーバを抑制するハンドオーバ・パラメータを、最適化対象セルに対して設定する（ステップＳ２０５）。
【００６８】
ＨＯ抑制部９６は、パラメータ設定部１０５が設定したハンドオーバ・パラメータを、最適化対象セルを管理する基地局に通知し（ステップＳ２０６）、全体の処理を終了する。
【００６９】
このようにＨＯ抑制部９６は、ハンドオーバ特性が所定の基準より劣るセルについては、代替セルの検出結果を考慮に入れた上で、ハンドオーバを抑制するかどうかを決定する。
【００７０】
次に、ハンドオーバ・パラメータの設定方法について説明する。図７は、パラメータ設定部１０５の動作を説明するフローチャートである。
【００７１】
図７に示すように、パラメータ設定部１０５は、抑制対象セルが隣接リストに登録されているか否かを判定する（ステップＳ５０１）。判定の結果、抑制対象セルが隣接リストに登録されていない場合は、パラメータ設定部１０５は、抑制対象セルに対してＮｏＨＯフラグを設定し（ステップＳ５０４）、全体の処理を終了する。一方、抑制対象セルが隣接リストに登録されている場合は、パラメータ設定部１０５は、抑制対象セルのＣＩＯが下限値に達しているか否かを判定する（ステップＳ５０２）。ＣＩＯが下限値に達している場合は、パラメータ設定部１０５は、抑制対象セルに対してＮｏＨＯフラグを設定し（ステップＳ５０４）、全体の処理を終了する。一方、抑制対象セルのＣＩＯが下限値に達していない場合は、パラメータ設定部１０５は、抑制対象セルのＣＩＯに下限値を設定し（ステップＳ５０３）、全体の処理を終了する。
【００７２】
なお、パラメータ設定部１０５が行うハンドオーバ・パラメータの設定方法は上記設定方法に限るものではない。例えば、図８に示すパラメータ設定部１０５の動作を説明するフローチャートに従って設定される構成であっても良い。
【００７３】
図８において、パラメータ設定部１０５は、抑制対象セルが隣接リストに登録されているか否かを判定する（ステップＳ５０１）。抑制対象セルが隣接リストに登録されていないと判定した場合は、パラメータ設定部１０５は、抑制対象セルに対してＮｏＨＯフラグを設定し（ステップＳ５０４）、全体の処理を終了する。一方、抑制対象セルが隣接リストに登録されていると判定した場合は、隣接リストから抑制対象セルを削除し（ステップＳ５０５）、その後で、抑制対象セルに対してＮｏＨＯフラグを設定し（ステップＳ５０４）、全体の処理を終了する。ハンドオーバ・パラメータの設定方法は、このような処理によって設定される構成であっても良い。
【００７４】
以上説明したように、本実施形態の無線通信システムは、移動端末から報告されたセルごとの無線品質の測定情報に基づき、target cell（第２のセル）を除くセルの中から、無線品質が所要値以上である代替セル（第３のセル）を検出する代替セル検出手段を備えている。そして、代替セル検出手段による第３のセルの検出結果に基づき、第２のセルへのハンドオーバを抑制するハンドオーバ抑制手段を更に備えている。このような構成とすることで、代替セルの存在を考慮した上でtarget cellに対するハンドオーバの抑制が行われるため、セル全体のハンドオーバの成功率を改善できる。
【００７５】
より具体的には、本実施形態によれば、最適化対象セルから特定の隣接セルに対するハンドオーバの失敗率が高いなどハンドオーバ特性が所定の基準より劣るとき、ハンドオーバ可能な替わりの隣接セルがある場合のみ、失敗率が高い隣接セルへのハンドオーバを抑制する。すなわち、本実施形態によれば、従来技術のようにハンドオーバ失敗率が高い隣接セルへのハンドオーバを一律に抑制するのではなく、ハンドオーバ可能な替わりの隣接セルの有無を考慮して、ハンドオーバ失敗率が高い隣接セルへのハンドオーバを抑制する。これにより、ハンドオーバ可能な替わりの隣接セルがない場合に通信の異常切断を増やすことなく、セル全体のハンドオーバの成功率を改善できる。
【００７６】
（第２の実施形態）
本実施形態の無線通信システムは、第１の実施形態と比較して、複数時点の無線品質の測定情報に基づき、代替セルを検出することを特徴とする。以下、図面を用いて詳細に説明する。なお、無線通信システムのブロック構成は、第１の実施形態と同一であるため図２を援用して説明する。
【００７７】
図９は、本実施形態の無線通信システムにおける、代替セル検出部１０３の動作を説明するフローチャートである。なお、図９において、図５と同様の処理については同じ符号を付し、説明を省略する。
【００７８】
本実施形態における失敗情報通知部１０６は、ハンドオーバ失敗時に移動端末１０が測定した、隣接セルの無線品質の測定情報を失敗情報に対して新たに追加し、基地局３０Ａに通知する。ハンドオーバ失敗時とは、例えば、source cellからtarget cellへのハンドオーバの途中で、無線回線の異常切断が発生した時点を意味する。あるいは、source cellからtarget cellへのハンドオーバが完了した直後の一定期間内に無線回線の異常切断が発生した時点を意味する。
【００７９】
代替セル検出部１０３は、ステップＳ３０４において集合Ｓに隣接セルが含まれる場合、すなわち、代替セルが検出された場合は、移動端末１０のハンドオーバ失敗時における隣接セルの無線品質の測定情報を、失敗情報から取得する（ステップＳ４０１）。
【００８０】
代替セル検出部１０３は、集合Ｓに含まれる隣接セルのうち、ハンドオーバ失敗時の無線品質が閾値以上である隣接セルが存在するか否かを判定する（ステップＳ４０２）。ステップＳ４０２における判定の結果、条件を満たす隣接セルが存在しない場合は、代替セルが検出されなかったものとして判定し（ステップＳ３０５）、全体の処理を終了する。一方、そのような隣接セルが存在する場合は、代替セルが検出されたものとして判定し（ステップＳ３０６）、全体の処理を終了する。
【００８１】
なお、移動端末１０のハンドオーバ要求時から失敗時の間の隣接セルの無線品質の測定情報の時系列を、失敗情報通知部１０６が失敗情報に付加して基地局３０Ａに通知できる場合には、本実施形態における代替セル検出部１０３の動作として、図１０に示す動作とすることも可能である。
【００８２】
図１０に示す動作において、代替セル検出部１０３は、ステップＳ３０４において集合Ｓに隣接セルが含まれる場合、すなわち、代替セルが検出された場合は、移動端末１０のハンドオーバ要求時から失敗時までの隣接セルの無線品質の測定情報の時系列を失敗情報から取得する（ステップＳ４１０）。
【００８３】
代替セル検出部１０３は、ハンドオーバ要求時からハンドオーバ失敗時の間、無線品質が常に閾値以上である隣接セルが、集合Ｓに含まれているか否かを判定する（ステップＳ４１１）。ステップＳ４１１における判定の結果、条件を満たす隣接セルが存在しない場合は代替セルが検出されなかったものとして判定し（ステップＳ３０５）、全体の処理を終了する。一方、そのような隣接セルが存在する場合は、代替セルが検出されたものとして判定し（ステップＳ３０６）、全体の処理を終了する。
【００８４】
このように、本実施形態によれば、複数時点の無線品質の測定情報に基づき代替セルを検出し、代替セルの検出結果に応じて、ハンドオーバ失敗率が高い特定の隣接セルへのハンドオーバを抑制する。
【００８５】
第１の実施形態においては、ハンドオーバ要求時以降に無線品質が所要品質を下回る隣接セルを、代替セルとして誤検出する場合があった。これに対し、本実施形態によれば、ハンドオーバ要求時以降の複数時点の無線品質に基づき代替セルを検出するため、このような誤検出を低減できる。
【００８６】
（第３の実施形態）
本実施形態の無線通信システムは、第１および第２の実施形態と比較して、特定の隣接セルへのハンドオーバを抑制した後のハンドオーバ特性の変化を監視する仕組みを新たに備え、抑制によりハンドオーバ特性が劣化した場合に、直前の抑制を解除できるよう構成したことを特徴とする。以下、本実施形態に係る無線通信システムについて図面を用いて詳細に説明する。
【００８７】
図１１は、本実施形態の無線通信システムの構成を示す図である。なお、図１１において、図２と同様の構成要素については同じ符号を付し、説明を省略する。
【００８８】
図１１に示すように、本実施形態は、第１および第２の実施形態と比べて、ＨＯ抑制部９６が品質監視部２０１を更に備える点で異なる。品質監視部２０１は、品質統計記憶部１０４に格納されているＨＯ統計情報を参照し、ＨＯ抑制部９６が行った抑制によりハンドオーバ特性が劣化した場合は、パラメータ設定部１０５に対して直前のパラメータ変更の解除を要求する。
【００８９】
次に、本実施形態の無線通信システムの動作について説明する。図１２は、本実施形態の無線通信システムにおける、ＨＯ抑制部９６の動作を説明するフローチャートである。なお、図１２において、図６と同様の処理については同じ符号を付し、説明を省略する。
【００９０】
品質監視部２０１は、最適化対象セルを管理する基地局に対して、ＨＯ抑制部９６がハンドオーバ・パラメータを通知した後、一定期間（Ｔ）が経過するまで待機する（ステップＳ５０１）。品質監視部２０１は、一定期間（Ｔ）が経過した時点で、品質統計記憶部１０４にアクセスし、ハンドオーバ・パラメータの変更から一定期間（Ｔ）が経過した時点の最適化対象セルのＨＯ統計情報を参照する（ステップＳ５０２）。
【００９１】
品質監視部２０１は、取得した統計情報をもとに、最適化対象セルのハンドオーバ特性が劣化したか否かを判定する（ステップＳ５０３）。判定の結果、ハンドオーバ特性が劣化していなければ、ハンドオーバ抑制部９６は、全体の処理を終了する。一方、ハンドオーバ特性が劣化している場合は、品質監視部２０１は、パラメータ設定部１０５に対してハンドオーバ抑制の解除を要求する（ステップＳ５０４）。
【００９２】
なお、品質監視部２０１は、例えば、source cell全体の通信の異常切断率、または代替セルへのハンドオーバ失敗率が、ハンドオーバ抑制前と比べて一定値以上増加したときにハンドオーバ特性が劣化したと判定する。このとき、品質監視部２０１は、例えば、数式（１）を用いてハンドオーバ失敗率を算出することができる。
【００９３】
パラメータ設定部１０５は、品質監視部２０１から抑制解除の要求を受けて、抑制対象セルへのハンドオーバ抑制を解除するハンドオーバ・パラメータを設定する。すなわち、ＣＩＯを変更前の値に戻す、あるいはＮｏＨＯフラグを無効にする等の設定を行う。ＨＯ抑制部９６は、パラメータ設定部１０５が抑制解除のために設定したハンドオーバ・パラメータを、最適化対象セルを管理する基地局３０Ａに通知し（ステップＳ５０５）、全体の処理を終了する。
【００９４】
このように、本実施形態にかかる無線通信システムは、特定の隣接セルへのハンドオーバを抑制した後のハンドオーバ特性の変化を監視し、抑制によりハンドオーバ特性が劣化した場合は、直前の抑制を解除する。
【００９５】
第１および第２の実施形態においては、特定の隣接セルへのハンドオーバの抑制により、最適化対象セルの通信品質が劣化した場合に、劣化を緩和することができなかった。これに対し、本実施形態によれば、抑制によりハンドオーバ特性が劣化した場合は、直前の抑制を解除するため、このような劣化を緩和することができる。
【００９６】
（第４の実施形態）
本実施形態の無線通信システムは、第１〜第３の実施形態と比較して、移動端末１０の移動速度を判別する仕組みを新たに備え、特定の隣接セルへのハンドオーバの抑制を高速移動端末に対してのみ適用できるようにした点が異なる。
【００９７】
図１３は、本実施形態の無線通信システムの構成を示す図である。なお、図１３において、図２と同様の構成要素については同じ符号を付し、説明を省略する。
【００９８】
図１３に示すように、本実施形態は、第１〜第３の実施形態と比べて、ＨＯ制御部１０１が移動速度判別部３０１を備える点で異なる。移動速度判別部３０１は、過去に接続した無線セルの履歴情報を移動端末１０から取得し、取得した情報をもとに端末が高速移動端末か低速移動端末かを判別する。移動速度判別部３０１は、判別結果をＨＯ制御部１０１に通知する。
【００９９】
次に、本実施形態の無線通信システムの動作について説明する。図１４は、本実施形態の無線通信システムにおける、基地局３０Ａの動作を説明するフローチャートである。なお、図１４において、図４と同様の処理については同じ符号を付し、説明を省略する。
【０１００】
移動速度判別部３０１は、移動端末１０が高速移動端末か低速移動端末かを判別し、ＨＯ制御部１０１に判別結果を通知する（ステップＳ６０１）。
【０１０１】
ＨＯ制御部１０１は、移動速度判別部３０１における移動速度の判別結果に応じてtarget cellを決定する。すなわち、ＨＯ制御部１０１は、移動速度判別部３０１より通知される判別結果に基づいて移動端末１０が高速移動端末であると判別した場合は（ステップＳ６０２）、測定情報に含まれる隣接セルのうち、ＮｏＨＯフラグが無効な隣接セルの中からtarget cellを決定する（ステップＳ１０２）。一方、移動端末１０を低速移動端末と判別した場合は（ステップＳ６０２）、測定情報に含まれる全ての隣接セルの中からtarget cellを決定する（ステップＳ６０３）。
【０１０２】
次に、端末の移動速度の判別方法について説明する。図１５は、移動速度判別部３０１の動作を説明するフローチャートである。
【０１０３】
図１５に示すように、移動速度判別部３０１は、移動端末１０が過去に接続した無線セルの履歴情報を移動端末１０から取得する（ステップＳ７０１）。次に、移動速度判別部３０１は、直前に接続したセルの滞在時間を履歴情報から取得する（ステップＳ７０２）。
【０１０４】
次に、移動速度判別部３０１は、滞在時間に応じて移動端末の移動速度を判別する。具体的には、移動速度判別部３０１は、ステップＳ７０２で取得した履歴情報に基づいて、移動端末１０が直前に接続したセルの滞在時間と基準となる期間（Ｐ）とを比較する（ステップＳ７０３）。
【０１０５】
ステップＳ７０３における比較の結果、上記滞在時間が期間（Ｐ）より短い場合には、移動速度判別部３０１は、当該移動端末１０を高速移動端末と判別する（ステップＳ７０４）。一方、滞在時間が期間（Ｐ）より長い場合には、当該移動端末１０を低速移動端末と判別する（ステップＳ７０５）。
【０１０６】
なお、本実施形態では、一例として、過去に接続した無線セルの履歴情報を移動端末１０から取得する形態について説明したが、移動端末１０が直前に接続していた基地局から履歴情報を取得する形態でも構わない。
【０１０７】
このように、本実施形態によれば、端末の移動速度を判別し、高速移動端末に対してのみ特定の隣接セルへのハンドオーバを抑制する。
【０１０８】
第１〜第３の実施形態においては、特定の隣接セルへのハンドオーバの抑制を、source cellに接続する全ての移動速度に対して一律に適用する。そのため、様々な移動速度の端末が混在する環境においては、特に低速移動端末に対して不必要にハンドオーバの抑制を適用して無線品質がより低い隣接セルへのハンドオーバを促進し、スループットの低下など通信品質の劣化を引き起こす可能性があった。これに対し、本実施形態によれば、高速移動端末に対してのみハンドオーバの抑制を適用するため、このような通信品質の劣化を防ぐことができる。
【０１０９】
（第５の実施形態）
本実施形態の無線通信システムは、第１〜第４の実施形態と比較して、特定の隣接セルへのハンドオーバ抑制の適否を判断する仕組みを基地局の内部に備え、移動端末のハンドオーバ要求ごとに、基地局がその都度、ハンドオーバ抑制の適否を判断して適用できるようにした点が異なる。
【０１１０】
図１６は、本実施形態の基地局の構成を示す図である。なお、図１６において、図２と同様の構成要素については同じ符号を付し、説明を省略する。
【０１１１】
図１６に示すように、本実施形態は、第１〜第４の実施形態と比べて、基地局３０Ａが品質統計記憶部４０１を備え、ＨＯ制御部１０１がＨＯ抑制部４０２を備える点が異なる。
【０１１２】
品質統計記憶部４０１は、最適化対象セル３５から隣接セルｉに対して実施されたハンドオーバに関して、ハンドオーバ試行数（ａi）、ハンドオーバ失敗数（ｆi）などのハンドオーバ統計情報を記憶する領域である。
【０１１３】
ＨＯ抑制部４０２は、ＨＯ制御部１０１が移動端末の測定報告に基づき決定したtarget cell に関するＨＯ統計情報を品質統計記憶部４０１から取得し、代替セルの検出結果を代替セル検出部１０３から取得し、取得したこれらの情報をもとに代替セルへのハンドオーバの要否を判断する。ＨＯ抑制部４０２は、判断結果をＨＯ制御部１０１に通知する。
【０１１４】
次に、本実施形態の基地局の動作について説明する。図１７は、本実施形態の基地局３０Ａの動作を説明するフローチャートである。なお、図１７において、図４と同様の処理については同じ符号を付し、説明を省略する。
【０１１５】
ＨＯ制御部１０１は、移動端末の測定報告に基づきtarget cell（隣接セル（ｉ））を決定する（ステップＳ８０１）。
【０１１６】
ＨＯ抑制部４０２は、target cellに関するＨＯ統計情報を品質統計記憶部４０１から取得する（ステップＳ８０２）。次に、ＨＯ抑制部４０２は、隣接セル（ｉ）のハンドオーバ失敗率（Ｒ'HoFail, i）を算出し、失敗率（Ｒ'HoFail, i）が閾値（ＴｈHoFail）を上回るか否かを判定する（ステップＳ８０３）。
【０１１７】
ハンドオーバ失敗率（Ｒ'HoFail, i）は、例えば、隣接セル（ｉ）に対するハンドオーバ試行数（ａi）、ハンドオーバ失敗数（ｆi）をもとに、数式（３）を用いて算出することができる。
（式３）  Ｒ'HoFail, i ＝ ｆi／ａi
【０１１８】
ステップＳ８０３において、ハンドオーバ失敗率（Ｒ'HoFail, i）が閾値（ＴｈHoFail）以下であると判定された場合は、ＨＯ制御部１０１は、ステップＳ８０１において決定されたtarget cellに対してハンドオーバを実行する（ステップＳ１０３）。一方、ステップＳ８０３において、ハンドオーバ失敗率（Ｒ'HoFail, i）が閾値（ＴｈHoFail）を上回ると判定された場合は、代替セル検出部１０３が、移動端末１０のハンドオーバ要求時の測定情報をＨＯ制御部１０１から取得し、代替セルを検出する（ステップＳ１０７）。
【０１１９】
なお、第１の実施形態と同様に、ステップＳ８０３における品質指標として、ハンドオーバ失敗率以外にハンドオーバ失敗数、target cellにハンドオーバした後の平均滞在時間を用いても構わない。
【０１２０】
あるいは、ステップＳ８０３において、ハンドオーバ失敗率の評価の代わりに、隣接セル（ｉ）に対するＮｏＨＯの設定の有無を調べ、ＮｏＨＯが設定されていない場合にはステップＳ１０３へ移り、ＮｏＨＯが設定されている場合にはステップＳ１０７へ移るようにしても構わない。
【０１２１】
ＨＯ抑制部４０２は、ステップＳ１０８において、代替セル検出部１０３の検出結果をもとに、代替セルの有無に応じて処理を分岐する。すなわち、代替セルがないと判定した場合は、ステップＳ８０１において決定したtarget cellに対してハンドオーバを実行する（ステップＳ１０３）。一方、代替セルがあると判定した場合は、ステップＳ８０４において、代替セル検出部１０３が検出した代替セルの中からtarget cellを決定し、決定したtarget cellへのハンドオーバを実行する（ステップＳ１０３）。
【０１２２】
なお、ステップＳ１０８において代替セルがあると判定した場合であっても、代替セルのハンドオーバ特性が劣っていない場合のみ、ステップＳ１０３において代替セルへのハンドオーバを実行し、その他の場合には、ステップＳ８０１で決定したtarget cellに対してハンドオーバを実行するようにしても構わない。
【０１２３】
このように、本実施形態によれば、移動端末の測定報告をもとに決定したtarget cellのハンドオーバ失敗率が高いとき、移動端末の測定報告に基づき、代替セルの有無を基地局が判断し、代替セルがある場合は、代替セルの中からtarget cellを再選択してハンドオーバを実行する。
【０１２４】
第１〜第４の実施形態においては、代替セルの検出結果を隣接セル単位で集計した結果をもとに、抑制対象セルを決定している。そのため、source cell内部で代替セルがある場所とない場所が混在する環境では、代替セルがない場合にハンドオーバ抑制を適用したり、代替セルがあるのにハンドオーバ抑制を適用せずに通信の異常切断を引き起こすなど、ハンドオーバ抑制の不適合が生じる可能性があった。これに対し、本実施の形態によれば、移動端末のハンドオーバ要求ごとにハンドオーバ抑制の適否を判断するため、このようなハンドオーバ抑制の不適合を防ぐことができる。
【０１２５】
なお、本発明は上記実施の形態に限られたものではなく、趣旨を逸脱しない範囲で適宜変更することが可能である。例えば、本発明は以下の形態をとることも可能である。
【０１２６】
（１）移動端末が接続する第１のセルを管理する基地局を備え、前記移動端末が、前記第１のセルから第２のセルにハンドオーバ可能な無線通信システムであって、前記移動端末から報告されたセルごとの無線品質の測定情報に基づき、前記第２のセルを除くセルの中から、無線品質が所要値以上である第３のセルを検出する代替セル検出手段と、前記代替セル検出手段による第３のセルの検出結果に基づき、前記第２のセルへのハンドオーバを抑制するハンドオーバ抑制手段と、を有する無線通信システム。
（２）前記ハンドオーバ抑制手段は、前記第２のセルへのハンドオーバ特性が所定の基準より劣る場合に、前記代替セル検出手段による第３のセルの検出結果に基づき、前記第２のセルへのハンドオーバを抑制する、（１）に記載の無線通信システム。
（３）前記ハンドオーバ特性は、前記第２のセルへのハンドオーバ失敗率、ハンドオーバ失敗数、および前記第２のセルへハンドオーバした後の平均滞在時間の少なくとも１つを含む、（２）に記載の無線通信システム。
（４）前記無線品質は、前記セルを管理する基地局から送信されたリファレンス信号の受信電力または信号対干渉波および雑音電力比の少なくとも１つを含む、（１）に記載の無線通信システム。
（５）前記ハンドオーバ抑制手段は、前記第３のセルが存在する場合の前記第２のセルへのハンドオーバ失敗数の統計と、前記第３のセルが存在しない場合の前記第２のセルへのハンドオーバ失敗数の統計に基づき、前記第２のセルへのハンドオーバを抑制することを判断する、（１）乃至（４）のいずれか１項に記載の無線通信システム。
（６）前記代替セル検出手段は、前記移動端末からのハンドオーバ要求ごとに、前記第３のセルを検出し、前記ハンドオーバ抑制手段は、前記第３のセルが検出されたことを条件として、前記第２のセルへのハンドオーバを抑制する、（１）乃至（４）のいずれか１項に記載の無線通信システム。
（７）前記ハンドオーバ抑制手段は、前記第２のセルの無線品質の測定結果に付加するオフセット値を前記移動端末に対して通知することにより前記第２のセルへのハンドオーバを抑制する、（５）に記載の無線通信システム。
（８）前記ハンドオーバ抑制手段は、前記第２のセルに対してハンドオーバの禁止フラグを設定することにより前記第２のセルへのハンドオーバを抑制する、（５）に記載の無線通信システム。
（９）前記ハンドオーバ抑制手段は、前記移動端末のうち、高速移動する移動端末に対してのみ、前記第２のセルへのハンドオーバを抑制する、（５）に記載の無線通信システム。
（１０）前記高速移動する移動端末は、前記接続中のセルの直前に接続したセルの滞在時間が閾値以下である移動端末である、（９）に記載の無線通信システム。
（１１）前記ハンドオーバ抑制手段は、前記第２のセルへのハンドオーバを抑制した後の前記第１のセルの通信品質を監視する品質監視手段を備え、前記第１のセルの通信品質がハンドオーバの抑制前より劣化した場合に、前記第２のセルへのハンドオーバの抑制を解除する、（５）または（６）に記載の無線通信システム。
（１２）前記品質監視手段は、前記第１のセル全体の通信の異常切断率、前記第３のセルへのハンドオーバ失敗率、ハンドオーバ失敗数、前記第３のセルへハンドオーバした後の平均滞在時間の少なくとも１つを用いて前記第１のセルの通信品質の劣化を評価する、（１１）に記載の無線通信システム。
（１３）前記代替セル検出手段は、前記移動端末から報告されたハンドオーバ要求時の無線品質が所要値以上であるセルを前記第３のセルとして検出する、（１）乃至（４）のいずれか１項に記載の無線通信システム。
（１４）前記代替セル検出手段は、前記移動端末から報告された複数の時点の無線品質が、いずれも所要値以上であるセルを前記第３のセルとして検出する、（１）乃至（４）のいずれか１項に記載の無線通信システム。
（１５）前記代替セル検出手段は、前記移動端末から報告されたハンドオーバ要求時の無線品質と、ハンドオーバ失敗時の無線品質が、いずれも所要値以上であるセルを、前記第３のセルとして検出する、（１３）に記載の無線通信システム。
（１６）前記代替セル検出手段は、前記移動端末から報告されたハンドオーバ要求時からハンドオーバ失敗時の間の無線品質の時系列が、常に所要値以上であるセルを、前記第３のセルとして検出する、（１４）に記載の無線通信システム。
（１７）移動端末が接続する第１のセルを管理し、前記第１のセルから第２のセルへの前記移動端末のハンドオーバを処理する基地局であって、前記移動端末から報告されたセルごとの無線品質の測定情報に基づき、前記第２のセルを除くセルの中から、無線品質が所要値以上である第３のセルを検出する代替セル検出手段と、前記代替セル検出手段による第３のセルの検出結果に基づき、前記第２のセルへのハンドオーバを抑制するハンドオーバ抑制手段と、を有する基地局。
（１８）前記ハンドオーバ抑制手段は、前記第２のセルへのハンドオーバ特性が所定の基準より劣る場合に、前記代替セル検出手段による第３のセルの検出結果に基づき、前記第２のセルへのハンドオーバを抑制する、（１７）に記載の基地局。
（１９）移動端末が接続する第１のセルから第２のセルへの前記移動端末のハンドオーバを抑制するハンドオーバ・パラメータを設定するハンドオーバ最適化方法であって、前記移動端末が測定したセルごとの無線品質の測定情報に基づき、前記第２のセルを除くセルの中から、無線品質が所要値以上である第３のセルを検出し、前記第３のセルの検出結果に基づき、前記第２のセルへのハンドオーバを抑制するハンドオーバ・パラメータを設定する、ハンドオーバ最適化方法。
（２０）前記ハンドオーバ・パラメータの設定は、前記第２のセルへのハンドオーバ特性が所定の基準より劣る場合に、前記第３のセルの検出結果に基づいて行われる、（１９）に記載のハンドオーバ最適化方法。
（２１）前記ハンドオーバ・パラメータは、ハンドオーバの禁止フラグ、前記移動端末による無線品質の測定結果に対して付加するオフセット値の少なくとも１つを含む、（２０）に記載のハンドオーバ最適化方法。
（２２）移動端末が接続先のセルを切り替えるハンドオーバ処理において、前記移動端末は、ハンドオーバ要求時にセルごとの無線品質の測定情報を基地局に報告し、前記基地局は、前記移動端末が接続中の第１のセルとハンドオーバ先として通知された第２のセルとの間のハンドオーバ特性が所定の基準より劣り、かつ前記測定情報のうち、前記第１のセル及び前記第２のセルを除くセルの測定情報のうちに、前記無線品質が所要値以上である第３のセルが存在する場合、前記第３のセルへハンドオーバする、ハンドオーバ方法。
【符号の説明】
【０１２７】
１０    移動端末
３０    基地局
３０Ａ  基地局
３０Ｂ  基地局
３５    無線セル
３５Ａ  最適化対象セル
３５Ｂ  隣接セル
９０    ネットワーク管理システム
９６    ハンドオーバ抑制部
１０１  ハンドオーバ制御部
１０２  ハンドオーバ特性管理部
１０３  代替セル検出部
１０４  品質統計記憶部
１０５  パラメータ設定部
１０６  失敗情報通知部
２０１  品質監視部
３０１  移動速度判別部
４０１  品質統計記憶部
４０２  ハンドオーバ抑制部
【図１】
2012249132.tif 000003
【図２】
2012249132.tif 000004
【図３】
2012249132.tif 000005
【図４】
2012249132.tif 000006
【図５】
2012249132.tif 000007
【図６】
2012249132.tif 000008
【図７】
2012249132.tif 000009
【図８】
2012249132.tif 000010
【図９】
2012249132.tif 000011
【図１０】
2012249132.tif 000012
【図１１】
2012249132.tif 000013
【図１２】
2012249132.tif 000014
【図１３】
2012249132.tif 000015
【図１４】
2012249132.tif 000016
【図１５】
2012249132.tif 000017
【図１６】
2012249132.tif 000018
【図１７】
2012249132.tif 000019
【図１８】
2012249132.tif 000020
【図１９】
2012249132.tif 000021
【図２０】
2012249132.tif 000022